(57)【要約】【課題】  恒温槽型水晶発振器への電源供給を電源部と二次電池を併用することにより電源の瞬断時にもタイマーによる待ち時間を費やすことなく、安定した周波数を発振することを可能とする無線装置を提供することができる。【解決手段】  少なくとも電源部と、送信部と、受信部とを有する無線装置であって、該無線装置は恒温槽型発振部と、電源部と、二次電源部と、該二次電源部の充電量を検出するための充電量検出部を具備しており、前記恒温槽型発振部は、前記無線装置の電源が切断されると前記二次電源部の充電量に応じて電源を前記二次電源部に切替えることを特徴とした無線装置。【選択図】  図１
2007088729.tif 000002
【特許請求の範囲】
【請求項１】
少なくとも電源部と、送信部と、受信部とを有する無線装置であって、
該無線装置は恒温槽型発振部と、電源部と、二次電源部と、該二次電源部の充電量を検出するための充電量検出部を具備しており、
前記恒温槽型発振部は、前記無線装置の電源が切断されると前記二次電源部の充電量に応じて電源を前記二次電源部に切替える
ことを特徴とした無線装置。
【請求項２】
請求項１に記載の無線装置であって、
該無線装置は、更に無線装置起動の際に使用するタイマー部を具備し、前記二次電池の充電量に応じて前記タイマー部を使用するか否かを制御することを特徴とした無線装置。
【発明の詳細な説明】
【技術分野】
【０００１】
本発明は、無線通信システムにおける無線装置に関するもので、特に恒温槽型の水晶発振器を有する無線装置の実用性向上に関するものである。
【背景技術】
【０００２】
現在、実用化されている無線通信システムとして、複数の無線端末局と、無線端末局間の無線通信の中継とサービスエリアの維持を行う１つあるいは複数の無線基地局とから構成される無線通信システムが知られている。
【０００３】
上述の無線通信システムでは、無線端末局と無線機基地局との通信を同時に送受信が可能である複信通信で行い、無線基地局を介した無線端末間の通信を送信と受信とで周波数が異なるが同時に送受信できない半複信通信によって行っている。
【０００４】
図３は上述の無線通信システムの一例について示している。
図３において、３０１は無線機基地局の通話エリア（通信ゾーン、通話ゾーンともいう。）、３０２は基地局無線装置、３０３は基地局制御装置、３０４は指令卓、３０５は無線端末局を示している。
【０００５】
通常、基地局無線装置３０２は運用中は常に送信状態にあり、指令卓３０４と無線端末局３０５間の無線通信や基地局無線装置３０２を介した無線端末局間３０５の無線通信を行っている。
【０００６】
また、上述の無線通信システムでは非常に高精度の基準信号を発生させる必要があるため、基地局無線装置３０２内に設けられている基準信号発生部内の水晶振動子の共振周波数が一定となるようにする必要がある。
【０００７】
しかし、この共振周波数は周囲の温度により変化してしまうため、水晶振動子の周囲温度を一定にする目的で、恒温槽方式の水晶発振器（ＯＣＸＯ）を用いている。この恒温槽型水晶発振器が一定温度に達するためには予熱時間が必要となり、予熱時間内の送信周波数は本来の周波数から発信が外れているため、使用者が誤って送信してしまう可能性があったため、一定温度に達するまでは送信ができないように基地局無線装置３０２にタイマーを設けることで基準信号が安定するまでは送受信動作を行わないようにしている。
【０００８】
このような無線通信システムの基地局無線装置として例えば特許公報１がある。
【特許文献１】特開２００３−１１０４５５号公報
【発明の開示】
【発明が解決しようとする課題】
【０００９】
上記のような基地局無線装置では、タイマーにより送受信ができなくなってしまうため、基地局無線装置のメンテナンス等による短時間でのメインスイッチのオン、オフ時や入力電源の瞬間的な停止後にはその都度タイマーの設定時間が経過するのを待たねばならず大変不便であった。
【００１０】
本発明は、上述したような課題を解決するために為されたもので、恒温槽型水晶発振器への電源供給を電源部と二次電池を併用することにより電源の瞬断時にもタイマーによる待ち時間を費やすことなく、安定した周波数を発振することを可能とする無線装置を提供することを目的とする。
【課題を解決するための手段】
【００１１】
上記目的を達成するため、請求項１に記載の基地局無線装置は、少なくとも電源部と、送信部と、受信部とを有する無線装置であって、該無線装置は恒温槽型発振部と、電源部と、二次電源部と、該二次電源部の充電量を検出するための充電量検出部を具備しており、前記恒温槽型発振部は、前記無線装置の電源が切断されると前記二次電源部の充電量に応じて電源を前記二次電源部に切替えることを特徴とする。これにより、温度を所定の範囲に保つ事ができ、よって安定した周波数を発振することを可能とする基地局無線装置を提供することができる。
【００１２】
また、上記目的を達成するため、請求項２に記載の基地局無線装置は、請求項１に記載の無線装置であって、該無線装置は、更に無線装置起動の際に使用するタイマー部を具備し、前記二次電池の充電量に応じて前記タイマー部を使用するか否かを制御することを特徴とする。
【発明の効果】
【００１３】
恒温槽型水晶発振器への電源供給を電源部と二次電池を併用することにより電源の瞬断時にもタイマーによる待ち時間を費やすことなく、安定した周波数を発振することを可能とする無線装置を提供することができる。
【発明を実施するための最良の形態】
【００１４】
本発明に係る実施例を図面を参照して説明する。
図１は、本発明の一実施例に係る基地局無線装置の概略構成図を示している。
図１において、１０１は送受通信用のアンテナ、１０２は送受信の切替えを行うための共用器、１０３は送信部、１０４は主制御部、１０５は起動タイマー、１０６は恒温槽型水晶発振器（ＯＣＸＯ）、１０７は受信部、１０８は基地局無線装置を示している。
【００１５】
通常、起動タイマー１０５には恒温槽型水晶発振器１０６が予熱完了となる時間を予め設定しておく。起動タイマー１０５の接点出力は主制御部１０４に接続されており、主制御部１０４ではこの接点情報を監視しておく。基地局無線装置１０８の電源が投入されると恒温槽型水晶発振器１０６と起動タイマー１０５の両方が起動され、起動タイマー１０５で予め設定した時間が経過するまで送信部１０３より送信が行われないように主制御部１０４にて制御する。起動タイマー１０５に設定されている時間が経過すると予熱時間が完了していることとなり送信が許可される。起動タイマー１０５と主制御部１０４の接点は予熱時間経過後に閉じられるため、主制御部１０４にて当該接点が閉接点となった事が認識される。
【００１６】
即ち主制御部１０４では起動タイマー１０５との接点が開いている場合には予熱時間中と判断し、送信動作を停止するように制御しており、接点が閉じている場合には予熱時間完了と判断し、送信動作を許可するよう制御している。
【００１７】
本発明の動作について図２を用いて説明する。図２は本発明の一実施例に係る基地局無線装置の詳細図を示している。
図２において、２０１は電源部のオン、オフを行うメインスイッチ、２０２は電源部、２０３は発振器への電源供給元を電源部と二次電池の一方に切替えるための切替えスイッチ、２０４は供給する電圧を安定させるための電圧変換部、２０５は恒温槽型水晶発振器（ＯＣＸＯ）、２０６は二次電池、２０７は電圧値の検出部、２０８は二次電池の充電量を検出する充電量検出部、２０９は起動タイマー、２１０は制御部を示している。
【００１８】
入力電源によりメインスイッチ２０１がオンされると、電源部２０２より電圧変換部２０４を介して恒温槽型水晶発振器２０５へ電圧が供給される。電圧変換部では、安定した電圧を恒温槽型水晶発振器２０５へ供給するため、電源部より入力された電圧を所定の供給電圧へと変換している。
【００１９】
充電量検出部２０８では二次電池２０６の充電量を監視し、二次電池２０６の充電量が予め定めた閾値以上である場合には、メインスイッチ２０１がオフになった時に、電圧値検出部２０７がメインスイッチ２０１からの給電がされなくなったことを検出して、切替えスイッチ２０３を二次電池２０６側へ切替え、電圧を恒温槽型水晶発振器２０５へ供給し、恒温槽型水晶発振器２０５の温度を一定に保持する。
【００２０】
また、二次電池２０６の充電量が予め定めた閾値より低い場合には、充電が完了する、又は所定の閾値を充電量が越えるまでは制御部２１０からの信号で起動タイマーを使用し、電源部２０２より充電を行う。
【００２１】
ここで、電圧値検出部には種々の装置を使用する事ができ、例えば、トランジスタやコンパレータＩＣ等を利用することが可能である。
以上のことから本発明の実施の形態によると、メンテナンス時におけるメインスイッチのオン、オフの繰り返しや、様々な要因によるメインスイッチ瞬断時に、その都度起動タイマーによる待ち時間を費やすことなく、無線機本来の仕様に則した安定した周波数によって通信を行う事が可能となる。
【００２２】
また、本発明の実施の形態によると、起動タイマーを設けて予熱時間中の送信を停止することで、送信波及び受信周波数が無線機本来の仕様に則した周波数安定度を持って機能する事が可能となる。
【００２３】
また、本発明の実施の形態によると、非常に高精度の周波数安定度を要求される基地局無線装置において、搭載する恒温槽型水晶発振器が起動時から周波数が安定するまでの予熱時間中に、規格を満足しない周波数で送信しないように、その予熱時間を設定したタイマーにて接点情報により送信動作を制御する事が可能となる。
【図面の簡単な説明】
【００２４】
【図１】本発明の一実施例に係る基地局無線装置の概略構成図。
【図２】本発明の一実施例に係る基地局無線装置の詳細図。
【図３】従来の無線通信システムの一例を示した図。
【符号の説明】
【００２５】
１０１・・・送受信用アンテナ、        １０２・・・共用器、
１０３・・・送信部、                  １０４・・・主制御部、
１０５・・・起動タイマー、            
１０６・・・恒温槽型水晶発振器（ＯＣＸＯ）、
１０７・・・受信部、                  １０８・・・基地局無線装置
２０１・・・メインスイッチ、          ２０２・・・電源部、
２０３・・・切替えスイッチ、          ２０４・・・電圧変換部、
２０５・・・恒温槽型水晶発振器（ＯＣＸＯ）、
２０６・・・二次電池、                ２０７・・・電圧値検出部、
２０８・・・充電量検出部、            ２０９・・・起動タイマー、
２１０・・・制御部、
３０１・・・基地局無線装置の通話エリア、
３０２・・・基地局無線装置、          ３０３・・・基地局制御装置、
３０４・・・指令卓、                  ３０５・・・無線端末局
【図１】
2007088729.tif 000003
【図２】
2007088729.tif 000004
【図３】
2007088729.tif 000005